(57)【要約】【課題】  洗濯物を一定高さまで持ち上げては落とすことによって摩擦力および衝撃力により洗濯が行われるようにするドラム洗濯機を提供する。【解決手段】  洗濯水を加熱してタブおよびドラム内に高温の蒸気として噴射することによって布濡らしを迅速にするとともに、洗濯物の殺菌および洗濯性能を向上させ、かつ、節水および省エネを実現できる。【選択図】      図１
2004298614.tif 000002
【特許請求の範囲】
【請求項１】
筐体内部に設置され、内部に洗濯水が供給されるタブと；
前記タブ内に回転自在に設置され、洗濯物および洗濯水が収容されて洗濯が行われるドラムと；
前記タブの一側に位置して前記タブ側に洗濯水を供給させる給水手段と；
前記給水手段に連結されるように設けられて洗濯水が貯留される容器と、前記容器内に設けられて洗濯水を加熱させるヒーターと、前記容器と給水手段との間に設置されて洗濯水の供給を調節する流入弁と、前記容器内の上側に一端が位置し、前記容器外部に他端が位置するように設けられて蒸気を吐出させる吐出流路とからなり、洗濯水を高温の蒸気に加熱して前記タブおよびドラム内に供給されるようにする蒸気発生装置と；を含めて構成されたことを特徴とする蒸気噴射式ドラム洗濯機。
【請求項２】
前記給水手段は、前記筐体の一側に設置されて給水を調節する給水弁アセンブリーと、この給水弁アセンブリーと一端が連結されるとともに、 他端は前記容器に連結されるように設けられて洗濯水が前記容器に供給されるように案内する給水流路と、前記吐出流路と一端が連結されるとともに、前記タブおよびドラムの内部に他端が位置するように設けられて蒸気が前記タブおよびドラム内に供給されるように案内する蒸気流路と、を含めて構成されたことを特徴とする請求項１に記載の蒸気噴射式ドラム洗濯機。
【請求項３】
前記給水手段は、前記筐体の一側に設置されて給水を調節する給水弁アセンブリーと、前記給水弁アセンブリーとタブとの間に設置されて洗剤が貯蔵される洗剤ボックスアセンブリーと、前記給水弁アセンブリーから分枝されて前記洗剤ボックスアセンブリーと前記容器にそれぞれ連結される補助給水流路および給水流路と、前記吐出流路と一端が連結されるとともに、前記タブおよびドラム内に他端が位置するように設けられて蒸気を前記タブおよびドラム内に供給する蒸気流路と、を含めて構成されたことを特徴とする請求項１に記載の蒸気噴射式ドラム洗濯機。
【請求項４】
前記蒸気流路は、他端が前記筐体とタブとの間に洗濯水の漏れを防止するために連結設置されたガスケットの上端を貫通するように設置されたことを特徴とする請求項２に記載の蒸気噴射式ドラム洗濯機。
【請求項５】
前記容器は、上部に蒸気が貯蔵されるように上向きに突出された蒸気貯蔵部が形成されたことを特徴とする請求項１に記載の蒸気噴射式ドラム洗濯機。
【請求項６】
前記吐出流路は、一端が前記蒸気貯蔵部の内側に位置するように設けられたことを特徴とする請求項５に記載の蒸気噴射式ドラム洗濯機。
【請求項７】
前記蒸気発生装置は、前記容器の内部温度にしたがって前記ヒーターの作動を調節する温度センサーをさらに含むことを特徴とする請求項１に記載の蒸気噴射式ドラム洗濯機。
【請求項８】
前記蒸気発生装置は、 前記吐出流路または蒸気流路上に設置されて蒸気を前記タブおよびドラム側に流動させる送風用ファンをさらに含むことを特徴とする請求項１に記載の蒸気噴射式ドラム洗濯機。
【請求項９】
前記蒸気発生装置は、前記容器内に設置されて前記容器に貯留された洗濯水の流動を抑制して前記容器の内部にわたり均一な水面が保持されるようにする流動抑制手段をさらに含むことを特徴とする請求項1に記載の蒸気噴射式ドラム洗濯機。
【請求項１０】
前記流動抑制手段は、前記蒸気貯蔵部の外周に位置するように前記容器の内部上面から下方に突出されるように形成された第１仕切りと、この第１仕切りの外周に位置するように前記容器内部の下面から上向き突出されるように形成された第２仕切りと、から構成されたことを特徴とする請求項9に記載の蒸気噴射式ドラム洗濯機。
【請求項１１】
前記第１および第２仕切りは、洗濯水の流動を可能にするために下部に通孔が形成されたことを特徴とする請求項１0に記載の蒸気噴射式ドラム洗濯機。
【発明の詳細な説明】
【技術分野】
【０００１】
本発明は、洗濯物を一定高さまですくい上げては落とすことによって摩擦力および衝撃力により洗濯が行われるようにするドラム洗濯機に関し、特に、洗濯水を加熱し高温の蒸気の形態としてタブおよびドラム内に噴射させることによって殺菌および洗濯性能の向上を図った蒸気噴射式ドラム洗濯機に関する。
【背景技術】
【０００２】
一般に、ドラム洗濯機は、水平に設置されるタブおよびドラム内に洗剤、洗濯水および洗濯物を入れた状態でモーターの駆動力により回転されるドラムと洗濯物間の摩擦を用いて洗濯を行う装置であって、布傷みや布絡みが殆どなく、たたき洗いおよびもみ洗いの効果を同時に得られる。
図６は従来の技術に係るドラム洗濯機を示す斜視図であり、図７は従来の技術に係るドラム洗濯機を示す側断面図である。
【０００３】
従来のドラム式洗濯機は、図６および図７に示すように、外郭を形成する筐体２と、該筐体２の内部にバネ４にて吊り掛けられるように取り付けらけれると同時に、ダンパーアセンブリー５により支持されるように設置されるタブ６と、該タブ６の内側に回転自在に設置され、洗濯水および洗濯物が収容されるドラム８と、該ドラム８の内壁面に一定間隔をおいて突設されて前記ドラム８の回転とともにその中の洗濯物をすくい上げては落とすベーン８ａと、前記タブ６の後方に前記ドラム８と連結されるように設置されてそのドラム８を回転させるモーター１０と、を含めて構成される。
【０００４】
また、前記ドラム洗濯機は、前記タブ６の上側に設置されてそのタブ６およびドラム８の内側に洗濯水および洗剤を供給する給水弁アセンブリー１２および洗剤ボックスアセンブリー１４と、前記タブ６の下側に設置されて前記タブ６およびドラム８内の洗濯水を排出させる排水ポンプアセンブリー１６とをさらに含む。
ここで、前記ドラム８は内壁面に多数個の脱水孔８ｈを有し、これらを通じて洗濯水が前記ドラム８とタブ６側に自由に流動できるようにするだけでなく、脱水の時は遠心力により振り飛ばされた衣類からの水を排出させる。また、前記給水弁アセンブリー１２と排水ポンプアセンブリー１６は、それぞれ給水弁(図示せず)と排水ポンプ(図示せず)を備え、それぞれ給水弁と排水ポンプの作動により洗濯水を前記タブ６およびドラム８の内部に／から給水／排水させるように構成する。
【０００５】
特に、前記タブ６の下方には、洗濯性能をより向上させるために前記タブ６内の洗濯水を高温に加熱するヒーター２０が装着されるが、このヒーター２０の装着のために前記タブ６の下端においてヒーター装着部６ａが下方に突設され、該ヒーター装着部６ａの前面から前記ヒーター２０がスライド挿入されて固定される。
このように構成された従来の技術における動作について説明すると、下記のとおりになる。
【０００６】
まず、前記ドラム８内に洗濯物が入っている状態で洗い行程が始まると、前記給水弁が開放作動されて洗濯物の量にしたがって適正量の洗濯水が前記タブ６およびドラム８内に供給されるが、このとき、洗濯水は前記給水弁アセンブリー１２を介して前記洗剤ボックスアセンブリー１４を通過しながら洗剤と共に前記タブ６内に供給される。
そして、前記モーター１０が作動されて前記ドラム８が回転すると、前記ベーン８ａが洗濯物を一定高さまで持ち上げては落として摩擦力および衝撃力により洗いが行われるようにするが、使用者の設定によっては前記ヒーター２０を作動させて前記タブ６内の洗濯水を加熱し、洗濯性能をより向上させてもいい。
【０００７】
このように洗い行程が完了されると、前記排水ポンプを開放作動させて洗濯水を排出した後、前記モーター１０を高速作動させて前記ドラム８を高速回転させ、遠心力により洗濯物から水を振り飛ばして間欠脱水を行い、引き続き前記給水弁を開放作動させて洗濯水を再び供給すると同時に、前記ドラム８を回転させてすすぎ行程を行う。
このようにすすぎおよび間欠脱水を繰り返し行った後、最後に脱水行程を行うことで、洗い・すすぎ・脱水行程といった一連の洗濯過程を完了する。
【０００８】
しかし、従来のドラム洗濯機は、前記給水弁アセンブリーを通過した洗濯水が前記洗剤ボックスアセンブリー１４を通過しながら洗剤と共に前記タブ６の上方から供給され、その後、前記タブ６に供給された洗濯水が前記ヒーター２０により加熱されるため、初期給水時には冷たい洗濯水が供給されるしかなく、その分布濡らしが遅くなるという問題点があった。
【０００９】
しかも、従来のドラム洗濯機は、前記ヒーター２０の装着のために前記タブ６内の下端において下方に突設されたヒーター装着部６ａが形成されるので、別途の空間が要求され、なおかつ、前記タブ６に洗濯水が供給されると、前記ヒーター装着部６ａにも洗濯水が供給された状態で前記ヒーター２０による加熱が行われるが、このヒーター装着部６ａ内の洗濯水は洗濯に使用されないので洗濯水および電気エネルギーの浪費を招き、また、前記ヒーター装着部６ａに洗濯水と共に洗剤が残留して洗濯性能を劣化させるという問題点があった。
【発明の開示】
【発明が解決しようとする課題】
【００１０】
本発明は、上記の従来技術の問題点に鑑みてなされたものであり、布濡らしを速かにでき、節水および省エネを実現可能にし、且つ、洗濯物の殺菌および洗濯性能を向上させるように洗濯水を加熱してタブおよびドラム内に高温の蒸気が噴射されるようにした蒸気噴射式ドラム洗濯機を提供することにその目的がある。
【課題を解決するための手段】
【００１１】
上記の目的を解決するために、本発明に係る蒸気噴射式ドラム洗濯機は、筐体の内部に設置されて内部に洗濯水が供給されるタブと；このタブ内に回転自在に設置され、洗濯物および洗濯水が収容されて洗濯が行われるドラムと；前記タブの一側に位置して前記タブ側に洗濯水を供給させる給水手段と；前記給水手段に連結されるように設けられて洗濯水が貯留される容器と、この容器内に位置するように設けられて洗濯水を加熱させるヒーターと、前記容器と給水手段との間に設置されて洗濯水の供給を調節する流入弁と、前記容器内の上側に一端が位置し、前記容器の外部に他端が位置するように設けられて蒸気を吐出させる吐出流路とからなり、洗濯水を高温の蒸気に加熱して前記タブおよびドラム内に供給されるようにする蒸気発生装置と；を含めて構成される。
【発明の効果】
【００１２】
以上のように構成される本発明に係る蒸気噴射式ドラム洗濯機は、洗濯水が蒸気発生装置を通過しながら加熱されて高温の蒸気としてタブおよびドラム内に供給されるため、初期給水のとき、洗濯物の布濡らしが速かにでき、節水と省エネを実現でき、且つ、洗いおよびすすぎ行程時に高温の蒸気形態に洗濯水を供給可能して殺菌および洗濯性能をさらに向上させる利点がある。
【００１３】
また、本発明に係る蒸気噴射式ドラム洗濯機は、容器内部で洗濯水が加熱されて一時的に蒸気貯蔵部に貯蔵されてから吐出流路を介して直接吐出されるので、洗濯水の加熱のための容器の大きさを減らして製品の大きさを減少させることができ、また、別途の吐出弁が要らないので低コストで済む利点がある。
【発明を実施するための最良の形態】
【００１４】
以下、本発明の一実施形態を添付図面を参照しつつ詳細に説明する。
図１は、本発明の第１実施例による蒸気噴射式ドラム洗濯機の斜視図であり、図２は、本発明の第１実施例による蒸気噴射式ドラム洗濯機の側断面図であり、図３は、本発明に係る蒸気発生装置の斜視図であり、図４は、図３のＡ−Ａ線における断面図である。
【００１５】
本発明の第１実施例による蒸気噴射式ドラム洗濯機は、図１および図２に示すように、外郭を形成する筐体５２と、該筐体５２内にバネ５４にて吊り掛けられるように設置されると同時に、ダンパーアセンブリー５５により支持されるように設置されるタブ５６と、該タブ５６の内側に回転自在に設置されて洗濯水および洗濯物が収容されるドラム５８と、該ドラム５８の内壁面に一定間隔をおいて突設されて前記ドラム５８の回転とともに洗濯物を上に持ち上げては落とすベーン５８ａと、前記タブ５６の後方に前記ドラム５８と連結されるように設置されて前記ドラム５８を回転させるモーター６０と、前記タブ５６の上側に位置して洗濯水を高温の蒸気に加熱して前記タブ５６およびドラム５８内に供給する蒸気発生装置７０と、を含めて構成される。
【００１６】
尚、前記蒸気噴射式ドラム洗濯機は、前記タブ５６の上側に配設されて前記タブ５６およびドラム５８内に洗濯水を供給する給水手段６２と、前記タブ５６の下側に配設されて前記タブ５６およびドラム５８内の洗濯水を排出させる排水ポンプアセンブリー６６とをさらに含み、前記蒸気発生装置７０は前記給水手段６２に連結されるように設けられる。
つまり、前記給水手段６２は、前記筐体５２の背面に設置されて給水を調節する給水弁アセンブリー６２ａと、該給水弁アセンブリー６２ａとタブ５６との間に設置されて洗剤を格納する洗剤ボックスアセンブリー６２ｂと、前記給水弁アセンブリー６２ａから分岐されて前記洗剤ボックスアセンブリー６２ｂと前記蒸気発生装置７０にそれぞれ連結される補助給水流路６２ｃ’および給水流路６２ｃと、一端が前記蒸気発生装置７０に連結され、他端は前記タブ５６およびドラム５８内に位置するように設置されて蒸気を前記タブ５６およびドラム５８内に供給する蒸気流路６２ｄと、を含めて構成される。
【００１７】
もちろん、前記給水手段６２は、洗濯水が前記蒸気発生装置７０を介してのみ給水されるように給水弁アセンブリー６２ａ、給水流路６２ｃ、および蒸気流路６２ｄだけで構成してもいい。
ここで、前記ドラム５８は内壁面に多数個の脱水孔５８ｈを有し、これらを通じて洗濯水が前記ドラム５８とタブ５６側に自由に流動できるようにするだけでなく、脱水の時は遠心力により振り飛ばされた衣類からの水を排出させる。また、前記給水弁アセンブリー６２ａと排水ポンプアセンブリー６６は、それぞれ給水弁(図示せず)と排水ポンプ(図示せず)を備え、それぞれ給水弁と排水ポンプの作動により洗濯水を給・排水させるように構成する。
【００１８】
また、前記補助給水流路６２ｃ’および給水流路６２ｃは、前記給水弁アセンブリー６２ａから分岐されて前記洗剤ボックスアセンブリー６２ｂと蒸気発生装置７０にそれぞれ連結されて洗濯水が供給されるようにするが、このとき、前記給水弁により前記補助給水流路６２ｃ’または給水流路６２ｃへの給水が調節される。
勿論、前記補助給水流路６２ｃ’に別途の補助給水弁(図示せず)を取り付け、前記補助給水流路６２ｃ’および給水流路６２ｃに対してそれぞれ個別給水を行ってもいい。
【００１９】
また、前記蒸気流路６２ｄは、蒸気が高速噴射されるように他端６２ｄ'がノズル形状に形成されるものの、その他端６２ｄ’が前記タブ５６と筐体５２との間に洗濯水の漏れを防止するために連結設置されたガスケット５７の上端を貫通するように設置されているため、蒸気が前記タブ５６およびドラム５８の上方から噴射されるように案内できる。
また、前記蒸気発生装置７０は、前記給水流路６２ｃと蒸気流路６２ｄが比較的短く構成されるようにするだけでなく、保守および点検し易くするために前記タブ５６の上側と筐体５２との間に配設される。
【００２０】
特に、前記蒸気発生装置７０は、図３および図４に示すように、前記給水流路６２ｃと蒸気流路６２ｄが上端に連結されるように設置され、内部に洗濯水が貯留されるような空間が形成された容器７２と、前記容器７２の内部に位置して洗濯水を加熱させるヒーター７４と、前記給水流路６２ｃと容器７２との間に設けられて洗濯水の供給を調節する流入弁７６と、前記容器７２内の上側に上端が位置し、下端は前記容器７２の外部に位置して前記蒸気流路６２ｄに連結されるように設けられて蒸気が吐出されるように案内する吐出流路７８と、から構成される。
【００２１】
ここで、前記容器７２は上、下部分を構成する上、下部容器７２ａ、７２ｂからなり、これら上、下部容器７２ａ、７２ｂの周縁部がお互いボルトにて結合されてなるものであって、前記上部容器７２ａは、中央に蒸気が一時的に貯蔵されるように上向き突出された蒸気貯蔵部７２ａ’を有する。
また、前記ヒーター７４は、前記容器７２に最小水位に洗濯水が供給される場合にも洗濯水の加熱が可能となるように前記下部容器７２ｂの内側に位置するように水平に設置されるものの、電熱面積を広めるために蛇腹状のパイプ型に形成された電気ヒータが適用される。
【００２２】
勿論、前記蒸気発生装置７０は、前記ヒーター７４の作動を調節する他、過熱発生時には前記ヒーター７４側に供給される電源を遮断する安全スイッチの役目を果たすサーモスタットのような温度センサー７９をさらに含めて構成される。
また、前記流入弁７６は、低温低圧の状態でも使用可能である他、低コストで済むように電子的に開閉動作が制御されるソレノイド弁が使用される。
【００２３】
ここで、前記流入弁７６の開閉は、前記タブ５６に給水された洗濯水の水位を感知する水位センサー(図示せず)、または前記容器７２に供給された洗濯水の水位を感知する補助水位センサー(図示せず)により調節されるが、前記補助水位センサーは、洗濯水の水面に浮くフロートの動きによって洗濯水の水位を感知するか、前記容器７２への洗濯水の供給に伴う内圧の変化により洗濯水の水位を感知するように構成される。
【００２４】
一方、前記蒸気発生装置７０は、前記容器７２内に設置されて洗濯水が前記吐出流路７８の一端側に流動されるのを抑えて前記容器７２の内部全体にわたり均一な水面が保持されるようにし、洗濯水が前記吐出流路７８に沿って前記タブ５６およびドラム５８内に流入するのを防止する流動抑制手段７５をさらに含む。
この流動抑制手段７５は、前記蒸気貯蔵部７２ａ’の外周に位置するように前記上部容器７２ａの内部上面から下向き突出されるように形成された第１仕切り７５ａと、前記第１仕切り７５ａの外周に位置するように前記下部容器７２ｂの内部下面から上向き突出されるように形成された第２仕切り７５ｂとからなるものの、前記第１および第２仕切り７５ａ、７５ｂは洗濯水が流動できるように下部に通穴(図示せず)を有する。
【００２５】
すなわち、前記第１仕切り７５ａと第２仕切り７５ｂは、前記蒸気貯蔵部７２ａ’を中心に所定の間隔をおいてお互い重なるように設置されるので、洗濯水が前記蒸気貯蔵部７２ａ’側に流動されて前記吐出流路７８に沿って前記タブ５６およびドラム５８内に流動されるのを防止することができる。
また、前記吐出流路７８は、前記下部容器７２ｂと一体に形成可能な円筒形の直管形状に形成されるものの、上端７８ａが前記蒸気貯蔵部７２ａ’の内側に位置し、下端７８ｂが前記下部容器７２ｂの外側に位置して前記蒸気流路６２ｄと連結されるように立設される。
【００２６】
このように構成された蒸気発生装置７０では、前記容器７２内の洗濯水が単純加熱されて前記蒸気貯蔵部７２ａ’に一部が集められた後、前記吐出流路７８および蒸気流路６２ｄに沿って排出されるが、前記吐出流路７８に吐出される蒸気の圧力が大気圧より高くないので、蒸気が円滑に流動されない。
これを解消するために、前記蒸気発生装置７０は、前記吐出流路７８または蒸気流路６２ｄ上に設置されて蒸気を前記タブ５６およびドラム５８側に流動させ得る送風用ファン(図示せず)をさらに備えてもいい。
【００２７】
図５は、本発明の第２実施例による蒸気噴射式ドラム洗濯機の斜視図である。本発明の第２実施例による蒸気噴射式ドラム洗濯機は、図５に示すように、前記蒸気発生装置７０が前記タブ５６の下側と筐体５２との間に位置するように別途の固定部材(図示せず)により前記タブ５６または筐体５２に固定設置される以外は、上記の本発明の第１実施例による蒸気噴射式ドラム洗濯機と同一の構成を有する。
【００２８】
したがって、前記蒸気発生装置７０と給水弁アセンブリー(図示せず)との間に連結された給水流路６３ｃと、前記蒸気発生装置７０と前記タブ５６との間に連結された蒸気流路６３ｄは、前記タブ５６の一側面と筐体５２との間に位置する。
このように前記蒸気発生装置７０が前記タブ５６の下側に設置されると、前記タブ５６の下側と筐体５２間の空間を前記蒸気発生装置７０の設置空間として活用できるので、前記蒸気発生装置７０の装着にもかからわず製品全体の大きさを増大させない。
【００２９】
以下、上記のように構成された本発明に係る蒸気噴射式ドラム洗濯機の動作について説明する。
まず、前記ドラム５８内に洗濯物が入っている状態で洗い行程が始まると、前記給水弁の開放作動によりその中の洗濯物の量にしたがって適正量の洗濯水が前記タブ５６およびドラム５８内に供給されるが、このとき、洗濯水は前記補助給水流路６２ｃ’を介して前記洗剤ボックスアセンブリー６２ｂを通過しながら洗剤と共に前記タブ５６内に供給される。
【００３０】
このように前記タブ５６内に洗濯水が供給されるとき、前記水位センサーにより前記タブ５６に供給された洗濯水の水位が感知され、適正量の洗濯水が供給されたと感知された場合前記補助給水弁が閉じられるため、洗濯水が前記補助給水流路６２ｃ’に沿ってこれ以上前記タブ５６およびドラム５８内に供給されなくなる。
特に、使用者の設定によって洗濯水が蒸気噴射されるように調節される場合、前記給水弁および流入弁７６が開放されて洗濯水は前記給水流路６２ｃを介して前記蒸気発生装置７０を通過しながら高温の蒸気に加熱され、この蒸気は前記蒸気流路６２ｄを通過して前記タブ５６およびドラム５８内に噴射される。
【００３１】
つまり、前記流入弁７６が開放されて前記容器７２内に洗濯水が供給され、設定水位まで前記容器７２内に洗濯水が供給されると前記流入弁７６が閉じられるが、このとき、容器７２内の水位は前記補助水位センサーによって直接感知されてもよく、前記水位センサーにより間接的に感知されてもよい。
例えば、前記容器７２内の洗濯水の水位が前記水位センサーにより感知される場合をみると、継続した洗濯水の供給により前記容器７２の容量を超過し、その容器７２にあふれて前記吐出流路７８および蒸気流路６２ｄに沿って前記タブ５６およびドラム５８内に供給されると、このような前記タブ５６およびドラム５８内の水位変動を前記水位センサーが感知することにより、間接的に前記容器７２内にその容量だけの洗濯水が供給されたことを感知するのである。
【００３２】
このように前記容器７２の容量だけの洗濯水が供給されたと感知されたら、前記流入弁７６は閉じられ、前記ヒーター７４の作動により洗濯水が加熱されて高温の蒸気が発生し、この蒸気は一時的に前記蒸気貯蔵部７２ａ’に貯蔵される。
このとき、前記温度センサー７９が前記容器７２の内部温度を測定し、その測定結果に基づいて前記ヒーター７４の作動を調節して前記ヒーター７４が過熱されないようにする。
次いで、前記蒸気貯蔵部７２ａ’に所定の圧力以上に蒸気が集まると、前記蒸気貯蔵部７２ａ’の蒸気は前記吐出流路７８および蒸気流路６２ｄに沿って前記タブ５６およびドラム５８内に供給されて洗濯物がより速かに濡れるようにする。
【００３３】
この時、蒸気流路６２ｄへの蒸気は、ノズル形状の蒸気流路の他端６２ｄ’を通過して前記タブ５６およびドラム５８内に噴射されるため、布濡らしがさらに速かになる。
もちろん、前記吐出流路７８または蒸気流路６２ｄ上に設置された送風用ファンを作動させて蒸気がより迅速に前記タブ５６およびドラム５８内に供給されるようにしてもいい。
これにより、前記タブ５６およびドラム５８内に適正量の洗濯水が供給されると、前記給水弁が閉じられると同時に前記モーター６０が作動される。このようなモーター６０の作動により前記ドラム５８が回転されながら前記ベーン５８ａが洗濯物を一定高さまで持ち上げては落とし、洗い行程を行う。
【００３４】
このような洗い行程が完了すると、前記排水ポンプが開放されて洗い済みの洗濯水を排出させた後、前記モーター６０を高速に作動させて前記ドラム５８を高速回転させることから発生する遠心力により洗濯物から水を振り飛ばすことで間欠脱水を行い、引き続き、前記給水弁を開放作動させて前記補助給水流路６２ｃ'を介して洗濯水が供給されるようにし、前記タブ５６およびドラム５８内に設定水位まで洗濯水が供給されると前記ドラム５８が回転されながらすすぎ行程が行われる。
このようなすすぎおよび間欠脱水を繰り返し行った後、最後に脱水行程を行い、洗濯を完了する。
【００３５】
勿論、すすぎ行程時もまた、初期の洗い行程時と同様に、使用者の設定によって洗濯水が前記蒸気発生装置７０を通過しながら高温の蒸気となり、前記タブ５６およびドラム５８内に噴射されるようにして殺菌および洗濯性能を向上させるようにしてもいい。
このような洗いおよびすすぎ行程の時、前記ドラム５８が回転されて洗濯機全体にわたりその振動が伝えられ前記容器７２内の洗濯水を流動させ、その洗濯水が前記容器７２内の蒸気貯蔵部７２ａ’側に流動される恐れもあるが、この場合にも、前記第１および第２仕切り７５ａ、７５ｂにより流動が抑制され、洗濯水が前記吐出流路７８を介して前記タブ５６およびドラム５８内に流入されるのを防止することができる。
【図面の簡単な説明】
【００３６】
【図１】本発明の第１実施例による蒸気噴射式ドラム洗濯機の斜視図である。
【図２】本発明の第１実施例による蒸気噴射式ドラム洗濯機の側断面図である。
【図３】本発明に係る蒸気発生装置を示す斜視図である。
【図４】図３のＡ−Ａ線における断面図である。
【図５】本発明の第２実施例による蒸気噴射式ドラム洗濯機の斜視図である。
【図６】従来の技術に係るドラム洗濯機を示す斜視図である。
【図７】従来の技術に係るドラム洗濯機を示す側断面図である。
【符号の説明】
【００３７】
５２…筐体
５６…タブ
５８…ドラム
６２…給水手段
６２ａ…給水弁アセンブリー 
６２ｂ…洗剤ボックスアセンブリー
６２ｃ…給水流路
６２ｃ'…補助給水流路
６２ｄ…蒸気流路
７０…蒸気発生装置
７２…容器
７２ａ’…蒸気貯蔵部
７４…ヒーター
７５ａ、７５ｂ…第１および第２仕切り
７６…流入弁
７８…吐出弁
７９…温度センサー
【図１】
2004298614.tif 000003
【図２】
2004298614.tif 000004
【図３】
2004298614.tif 000005
【図４】
2004298614.tif 000006
【図５】
2004298614.tif 000007
【図６】
2004298614.tif 000008
【図７】
2004298614.tif 000009